(57)【要約】【課題】紫外線ランプから照射された紫外線が吸込口から外部に漏出することを防止して安全性を向上させた空気清浄機を提供する。【解決手段】本体の側面に吸込口５を設けるとともに、同吸込口５の前縁に連なる本体の前部外側壁と、前記吸込口５の後縁を内側から前方に折曲するとともに本体の前面内壁近傍まで延出した内側壁とで、前記吸込口５の流路を前記本体の前面内壁側まで導びくように形成し、また本体の前面内壁に紫外線ランプ７を設ける。【選択図】　図１
2004081398.tif 000002
【特許請求の範囲】
【請求項１】
本体の両側面に吸込口を設け、上面に吹出口を設ける一方、前記本体内を、吸入孔を穿設した仕切板により前後に区画し、後部区画を前記吹出口に連通させるとともに、同後部区画にファンモータと同ファンモータに駆動される送風ファンとを設け、前部区画となる前記仕切板の前面に、集塵フィルターと脱臭フィルターとを順次配設するとともに、本体の前面内壁に紫外線ランプを架設し、前記吸込口の後縁から内側と前方とにＬ字状に折曲され本体の前面内壁近傍まで延出された内側壁により、前記吸込口の流路を形成することにより、前記吸込口からの紫外線の外部漏出を防止するようにしたことを特徴とする空気清浄機。
【請求項２】
前記吸込口から前記本体の前面内壁側に至る流路壁に、つや消し黒塗装を施し、紫外線の乱反射による外部漏出を防止してなることを特徴とする請求項１に記載の空気清浄機。
【請求項３】
前記集塵フィルター及び前記脱臭フィルターに対応する前記吸込口の内側壁に挿脱孔を穿設し、同挿脱孔により前記集塵フィルター及び前記脱臭フィルターを挿脱してなることを特徴とする請求項１に記載の空気清浄機。
【請求項４】
前記紫外線ランプを、前記本体の前面内壁に替わり前記仕切板の前面に設ける一方、前記本体の前面内壁側に、前方から順次前記脱臭フィルターと前記集塵フィルターとを配設してなることを特徴とする請求項１に記載の空気清浄機。
【発明の詳細な説明】
【０００１】
【発明の属する技術分野】
本発明は、空気清浄機に関わり、より詳細には、吸込口からの紫外線の漏出を防止した構成に関する。
【０００２】
【従来の技術】
従来の空気清浄機は、例えば図５に示すように、前面が開放されたリアパネルに後面が開放されたフロントパネル２を装着して本体を構成するとともに、同本体内を吸入孔３２ａを穿設した仕切板３２により前後に区画している。同本体の前面には吸込口３０、上面には風向偏向板を備えた吹出口３１が夫々設けられ、また同本体の背面内壁には前記吸入孔４ａに臨ませた、ファンモータ３４により駆動される送風ファン３３が設けられている。前記吸込口３０の裏面には、集塵フィルタ３５及び脱臭フィルタ３６が設けられるとともに、紫外線ランプ３７が設けられ、同紫外線ランプ３７から照射された紫外線により前記吸込口３０から吸込まれた空気中に含有される雑菌あるいは浮遊菌の殺菌を行うようになっている。
【０００３】
しかしながら、前記紫外線ランプ３７から紫外線を照射すると、前記吸込口３０から僅かな量の紫外線が外部に漏出する恐れがあり、また前記集塵フィルター３５と前記脱臭フィルター３６の交換の際、使用者が前記紫外線ランプ３７を点灯させたまま、交換作業を行う危険性があり改善が求められていた。
【０００４】
【発明が解決しようとする課題】
本発明は上記問題点に鑑み、吸込口から人体にとり有害な紫外線が本体外へ漏出しないようにして安全対策を向上させた空気清浄機を提供することを目的とする。
【０００５】
【課題を解決するための手段】
本発明は上記課題を解決するため、本体の両側面に吸込口を設け、上面に吹出口を設ける一方、前記本体内を、吸入孔を穿設した仕切板により前後に区画し、後部区画を前記吹出口に連通させるとともに、同後部区画にファンモータと同ファンモータに駆動される送風ファンとを設け、前部区画となる前記仕切板の前面に、集塵フィルターと脱臭フィルターとを順次配設するとともに、本体の前面内壁に紫外線ランプを架設し、前記吸込口の後縁から内側と前方とにＬ字状に折曲され本体の前面内壁近傍まで延出された内側壁により、前記吸込口の流路を形成することにより、　前記吸込口からの紫外線の外部漏出を防止するようにした構成となっている。
【０００６】
また、前記吸込口から前記本体の前面内壁側に至る流路壁に、つや消し黒塗装を施し、紫外線の乱反射による外部漏出を防止してなる構成となっている。
【０００７】
また、前記集塵フィルター及び前記脱臭フィルターに対応する前記吸込口の内側壁に挿脱孔を穿設し、同挿脱孔により前記集塵フィルター及び前記脱臭フィルターを挿脱してなる構成となっている。
【０００８】
また、前記紫外線ランプを、前記本体の前面内壁に替わり前記仕切板の前面に設ける一方、前記本体の前面内壁側に、前方から順次前記脱臭フィルターと前記集塵フィルターとを配設してなる構成となっている。
【０００９】
【発明の実施の形態】
以下、本発明の実施の形態を、添付図面に基づいた実施例として詳細に説明する。
図１（Ａ）は本発明による空気清浄機を示す側断面図であり、図１（Ｂ）は同空気清浄機の上方からの断面図である。また、図２〜図４は他の実施例を示す断面図である。
本発明による空気清浄機は、図１（Ａ）で示すように、前面が開放された半円筒状のリアパネル１と、後面が開放されるとともに前面が平坦状に形成され前記リアパネルに装着されるフロントパネル２と、同フロントパネル２と前記リアパネル１の開放された上面に冠着される蓋体状のトップカバー３とで本体を構成し、また同本体内を吸入孔４ａを穿設した仕切板５により前後に区画するとともに、前記リアパネル２の内壁前面に前記吸入孔４ａに臨ませてファンモータ１２により駆動される送風ファン１１を設けている。
【００１０】
前記本体の両側面中央部には、図１（Ｂ）の断面図で示すように、吸込口５が設けられ、前記吸込口５の後縁を内側に折曲し、更に前方に折曲させて本体の前面内壁近傍まで延出した内側壁で、前記吸込口５の流路を形成している。また前記トップカバー３には複数の桟により吹出口６が形成されている。前記フロントパネル２の前面内壁には、反射板８を備え紫外線を後述する集塵フィルターに向けて照射する紫外線ランプ７が上下方向に架設されており、同紫外線ランプ７は、雑菌あるいは細菌を殺菌処理することのできる波長が２５３ｎｍ（ナノメートル）近辺領域の紫外線を照射できるようになっている。
【００１１】
本体内を前後に区画する前記仕切板４の前面には、前方から集塵フィルタ９と脱臭フィルター１０とが順次配設されており、前記集塵フィルター９は吸込まれた空気に含有される塵埃あるいは微粒子等を吸着するようになっており、活性炭あるいは二酸化マンガンからなる前記脱臭フィルター１０は空気中に含まれる臭気成分を吸着あるいは分解処理するようになっている。
【００１２】
前記集塵フィルター９は、超極細ガラス繊維をガラスペーパー状に加工した素材から形成されており、同集塵フィルター９内を通過しようとする微粒子を吸着できる一方、空気中に含有される雑菌あるいは細菌をガラス繊維により的確に補集あるいは捕獲できるようになっており、これにより前記吸込口５から吸込まれた空気中に浮遊している雑菌あるいは細菌は前記集塵フィルター９の表層部に蓄積されるようになっている。また、同集塵フィルター９がガラス繊維で形成されていることにより、前記紫外線ランプ７からの紫外線が長期間前記集塵フィルター９の表面に照射されたとしても、素材の劣化を最小限の範囲にとどめることができるようになっている。
【００１３】
また、図１（Ｂ）に示すように、前記フロントパネル２の前記吸込口５の流路を構成する側内壁面から前面角部にかけては、つや消し黒の塗装１３が施されており、前記紫外線ランプ７から照射された紫外線が乱反射して、前記吸込口５から外部に漏出する現象を防止できるようになっている。これに対し前記フロントパネルの前面内壁には平板状の反射板１４が貼着されており、これにより前記紫外線ランプ７から照射された紫外線が前記反射板１４により後方に向かう平行な光線となって反射し、前記集塵フィルター９に均一且つ効率的に照射されるようになっている。
【００１４】
上記したように、本体の側面に前記吸込口５を設け、同吸込口５から本体の前面内壁に至る流路を折曲して形成し、また前記紫外線ランプ７を本体の前面内壁に設けることにより、同紫外線ランプ７から照射された紫外線が、前記吸込口５から外部に漏出することを防止し、安全性を向上させた空気清浄機とすることができるようになっている。
【００１５】
前記吸込口５に面した前記内側壁の側面には、前記集塵フィルター９及び前記脱臭フィルター１０に対応した挿脱孔１ａが穿設されている。同挿脱孔１ａから前記集塵フィルター９及び前記脱臭フィルター１０を前記吸込口５を介して本体の側面方向に引き抜くことにより、前記フロントパネル２を本体から外すことなく、これらの交換作業を容易に行えるようになっており、また、誤って前記紫外線ランプ７からの紫外線を受けるというような不具合を回避できるようになっている。
【００１６】
次に他の実施例を示す。図３で示す実施例は、前記仕切板４の前面に前記紫外線ランプ７を設けるとともに、同紫外線ランプ７の前面に前方から順次脱臭フィルター１０と集塵フィルター９とを配設して、前記紫外線ランプ７からの紫外線が外部により漏出しないよう防止する構成となっている。
【００１７】
【発明の効果】
以上説明したように、本発明によると本体の側面に吸込口を設けるとともに、前記吸込口の後縁を内側から前方に折曲するとともに本体の前面内壁近傍まで延出した内側壁で前記吸込口の流路を形成し、また本体の前面内壁に紫外線ランプを設けることにより、人体に有害な紫外線が外部に漏出することを防止でき、安全性の向上した空気清浄機とすることができる。
【図面の簡単な説明】
【図１】（Ａ）は本発明による空気清浄機を示す断面図である。（Ｂ）は同空気清浄機の上方からの断面図である。
【図２】他の実施例を示す断面図である。
【図３】従来例による空気清浄機を示す断面図である。
【符号の説明】
１　リアパネル
１ａ　挿脱孔
２　フロントパネル
３　トップカバー
４　仕切板
４ａ　吸入孔
５　吸込口
６　吹出口
７　紫外線ランプ
８　反射板
９　集塵フィルター
１０　脱臭フィルター
１１　送風ファン
１２　ファンモータ
１３　つや消し黒塗装
１４　反射板
１６　反射板
【図１】
2004081398.tif 000003
【図２】
2004081398.tif 000004
【図３】
2004081398.tif 000005